(57)【要約】      （修正有）【課題】微調整機能に影響さず、より安定感のある微調整用板ばねの改良構造を提供する。【解決手段】複数の板ばねセットを板体２０の貫通孔２１内に入れ、一端にネジ３１に螺合された中空ねじ付管３０を板ばねセットを貫通孔２１から離脱しないようにし、微調整ナット２８と微調整ネジ２７を篏合する板体２５を貫通孔２６より中空ねじ付管３０内にネスティングし、板ばねセットを貫通孔２６の２段口径内に当接し、ネジ３１で中空ねじ付管３０の端部に螺合し、貫通孔２６から離脱しないようにし微調整する。選択図】  ３４【実用新案登録請求の範囲】
【請求項１】
中央貫通孔を有する板体を主に設置し、該板体の中段から中央貫通孔までに凹み（或は凸出）状に設けられることで、該板体の外周縁に水平状の接触部を形成し、接触部内縁から中央貫通孔までに傾斜角を有するテーパー部を形成することを特徴とする微調整用板ばねの改良構造。
【請求項２】
前記両板体の突合せ用接触部は、大面積且つ安定に突き合わせることができる水平面に設置するものであることを特徴とする請求項１記載の微調整用板ばねの改良構造。
【請求項３】
両板ばねを対向に置き一セットとし、板ばねが中央貫通孔を設置し、且つ板ばねの板体の中段から中央貫通孔までに凹み（或は凸出）状に設けられ、突き合わせた板ばねセットがその板体の外周縁に大面積且つ安定に突き合わせることができる接触部を形成し、板体の内周縁にスペースを有するテーパー部を形成し、精密度の高い機器に適応されるときに、複数同じ数の板ばねセットを重ね合って機器に設けられる微調整手段の両板体の貫通孔内に入れ、さらに一端にストッパー部が設けられた管体を板ばねセットの中央貫通孔内に貫通し、板ばねセットを貫通孔から離脱しないようにし、機器の微調整手段により加圧或は減圧し、板ばねセットがテーパース内のスペースに対して圧縮或は復元し、大面積な接触部の接合により各板ばねが離脱され精密メーターの微調整安定性に影響しないようにすることを特徴とする微調整用板ばねの改良構造。
【考案の詳細な説明】
【技術分野】
【０００１】
本考案は、安定性のある微調整用板ばねの改良構造に係わり、光学メーター、例えばレーザー定位、加工機或は類似構造に関わるものである。
【背景技術】
【０００２】
現代科学技術が発達し働きが細かく分けられる時代では、多くのことは益々精度に要求し微小な差でも許されないので、たくさんの精密機械の位置決め及び加工には、共に正確度の高い光学レーザーで最も精密且つ快速に配合しなければならない。
【考案の開示】
【考案が解決しようとする課題】
【０００３】
これらの精密な光学レーザー機にとって、一般の調整がその正確性への影響はとても大きいので、光学レーザー機上に共に微調整手段が設置され、早期の微調整手段はばねを固定座と調整台の間に直接取付け、調整台上の各つまみを回転することよりばねを圧縮或は展開させ、固定座と調整台の間の微細距離の調整を達成するが、このようなばねは弾性疲労を発生し易いため、最も重要な欠点になる。
【０００４】
ばねが弾性疲労を発生し易い欠点を改善するために、ディスク型板ばね構造がそれに応じて提出され、図１に示されるように、このディスク型板ばねＡの板体が中央貫通孔Ａ１から外に向けって放射状に傾斜しており、両ディスク型板ばねＡの開口を合わせて内部にスペースを有する板ばねセットを形成し且つ複数の板ばねを重ね合い、さらにボルトでこれらの板ばねセットの中央貫通孔Ａ１に貫通しボルトを回転することにより微調整の目的に達成する。しかし、このようなディスク型板ばねは従来のばねの弾性疲労の欠点を改善できるが、両ディスク型板ばねの開口はリニア接触になり、微調整の過程では、両ディスク型板ばねを離脱しやすく、板ばねセットの弾力性に影響し、さらに微調整機能に不安定感が与えられる。
【０００５】
本考案の創作者は、これらの欠点を鑑み、微調整機能に影響さず、より安定感のある微調整機能を持つ微調整用板ばねの改良構造の提供を期し、長年以来この領域で積み立てた経験により、専念な観察かつ研究をし、さらに学術理論の運用に合せ、合理的に設計且つ組み立てし消費者に提供することは、本創作が創作しようとする動機である。
【課題を解決するための手段】
【０００６】
本考案の主な目的は、微調整機能に影響せず、より安定感のある微調整用板ばねの改良構造を提供する。
【０００７】
前記目的を達成するために、本考案は、中央貫通孔を有する板体を主に設置し、該板体の中段から中央貫通孔までに凹み（或は凸出）状に設けられ、該板体の外周縁に水平状の接触部を形成し、接触部内縁から中央貫通孔までに傾斜角を有するテーパー部を形成することにより、両板ばねを突き合わせるときに、該接触部が円滑的に対向に接合し分離されなく、複数の突き合わせた板ばねセットにより加圧或は減圧し、複数の板ばねが突き合わせられるテーパーのスペースを圧縮或は復元させ、微調整の目的を達成する。
【０００８】
本考案の第一考案は、中央貫通孔を有する板体を主に設置し、該板体の中段から中央貫通孔までに凹み（或は凸出）状に設けられることで、該板体の外周縁に水平状の接触部を形成し、接触部内縁から中央貫通孔までに傾斜角を有するテーパー部を形成することを特徴とする微調整用板ばねの改良構造である。
【０００９】
本考案の第二考案は、前記両板体の突合せ用接触部は、大面積且つ安定に突き合わせることができる水平面に設置するものであることを特徴とする本考案の第一考案に記載の微調整用板ばねの改良構造である。
【００１０】
本考案の第三考案は、両板ばねを対向に置き一セットとし、板ばねが中央貫通孔を設置し、且つ板ばねの板体の中段から中央貫通孔までに凹み（或は凸出）状に設けられ、突き合わせた板ばねセットがその板体の外周縁に大面積且つ安定に突き合わせることができる接触部を形成し、板体の内周縁にスペースを有するテーパー部を形成し、精密度の高い機器に適応されるときに、複数同じ数の板ばねセットを重ね合って機器に設けられる微調整手段の両板体の貫通孔内に入れ、さらに一端にストッパー部が設けられた管体を板ばねセットの中央貫通孔内に貫通し、板ばねセットを貫通孔から離脱しないようにし、機器の微調整手段により加圧或は減圧し、板ばねセットがテーパース内のスペースに対して圧縮或は復元し、大面積な接触部の接合により各板ばねが離脱され精密メーターの微調整安定性に影響しないようにすることを特徴とする微調整用板ばねの改良構造である。
【考案の効果】
【００１１】
以上に分かるように、本考案の構造は以下のような利点がある。
（１）従来のディスク型板ばねが接合し難く離脱し易い欠点を有効に改善し、本考案の板ばね構造が接合便利、離脱しない大面積な接触部を有させる。
（２）大面積な接触部の安定な突合せにより、微調整な過程において加圧或は減圧でも調整結果を影響しない。
（３）本考案により精密メーターの微調整手段の安定性を向上でき、調整する必要はない。
【考案を実施するための最良の形態】
【００１２】
本考案の他の目的及び利点は、後続の説明及び図示より詳しく説明する。
【実施例１】
【００１３】
図１は従来のディスク型板ばねを示す断面図であり、その構造は、前記のようであるので、重複に説明はしない。
【００１４】
図２を参照すると、本考案の板ばね１０は、中央貫通孔１１を有する板体を主に設置し、且つ該板体の中段から中央貫通孔１１までに凹み（或は凸出）状に設けられることで、板ばね１０の外周縁を水平状の接触部１２に形成し、接触部１２内縁から中央貫通孔１１までに傾斜角を有するテーパー部１３を形成する。
【００１５】
使用しようとする際に、両板ばね１０を一セットとし、両板ばね１０を対向に置き、両板ばね１０の外縁接触部１２を突き合わせることで、両中央貫通孔１１及びテーパー部１３を相互に位置調整し互いに望めるようにさせ、図３に示されるように、両板ばね１０の接触を従来の分離し易いリニア接触から分離し難く安定性の高い面接触（接触部１２）に形成する。
【００１６】
このように、図４を参照すると、本創作が精密度の高い機器に適応されるときに、複数の前記のような板ばねセットを重ね合って板体２０の２段口径の貫通孔２１内に入れ、さらに、一端にネジ３１に螺合された中空ねじ付管３０を複数の板ばねセットの突き合わせた中央貫通孔１１内に貫通し、ネジ３１の係止により複数の板ばねセットを貫通孔２１から離脱しないようにし、さらに微調整ナット２８と微調整ネジ２７を嵌合する板体２５をその上に設けられる貫通孔２６より中空ねじ付管３０の他一端にネスティングし、同様に、同じ数の重ね合い板ばねセットを重ね合い中央貫通孔１１により中空ねじ付管３０内にネスティングし、複数の板ばねセットを貫通孔２６の２段口径内に当接し、さらにネジ３１で中空ねじ付管３０の端部に螺合し、板ばねセットを貫通孔２６から離脱しないようにすることで、微調整手段を完成する。
【００１７】
調整しようとする際に、微調整ネジ２７と微調整ナット２８の回転によって、加圧或は減圧し、両板体２０、２５の貫通孔２１、２６内の板ばねセットを対向するテーパー部１３内に形成する空間圧縮或は釈放により微調整の目的を達成すると共に、大面積の接触部１２の接合により両板体２０、２５が加圧（或は減圧）される時に、各板ばねセットの接触部１２が離脱され精密メーターの微調整安定性に間接的に影響しないようにする。
【００１８】
しかし、前記に開示されたそれぞれの具体的な構成は、単に本考案の実施可能な実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１９】
【図１】従来のディスク型板ばねの重ね合いを示す断面図である。
【図２】本考案の実施例を示す外観斜視図である。
【図３】本考案の実施例のディスク型板ばねの重ね合いを示す断面図である。
【図４】本考案の実施例の使用状態を示す図である。
【符号の説明】
【００２０】
Ａ      ディスク型板ばね
Ａ１    中央貫通孔
１０    板ばね
１１    中央貫通孔
１２    接触部
１３    テーパー部
２０    板体
２１    貫通孔
２５    板体
２６    貫通孔
２７    微調整ネジ
２８    微調整ナット
３０    中空ねじ付管
３１    ネジ
【図１】
0003114427.tif 000002
【図２】
0003114427.tif 000003
【図３】
0003114427.tif 000004
【図４】
0003114427.tif 000005